(57)【特許請求の範囲】
【請求項１】
第１透光性基板と、第２透光性基板と、前記第１透光性基板と第２透光性基板の間に光電変換素子と、を備える太陽電池モジュールにおいて、
前記光電変換素子は、光を照射したときに光エネルギーを電気エネルギーに変換可能であり、
透光性を有する複数の化粧部材を有し、
前記複数の化粧部材は、前記第１透光性基板とは別体の板材であって、前記第１透光性基板上に面状に敷き詰められており、
前記複数の化粧部材の中には、少なくともヘイズの異なる複数種類の化粧部材が存在し、
前記複数種類の化粧部材のうち、別体であってかつ厚みが異なる２種類の化粧部材が互いに隣接するように配されており、
前記２種類の化粧部材のうち、一方の化粧部材は、片側表面に凹凸が形成されており、他方の化粧部材は、片側表面が平滑であることを特徴とする太陽電池モジュール。
【請求項２】
一方の化粧部材に対して他方の化粧部材が突出していることを特徴とする請求項１に記載の太陽電池モジュール。
【請求項３】
前記化粧部材の厚みは、１０ｍｍ以上５０ｍｍ以下であることを特徴とする請求項１又は２に記載の太陽電池モジュール。
【請求項４】
前記化粧部材のヘイズは、０．１パーセント以上０．５パーセント以下であることを特徴とする請求項１〜３のいずれかに記載の太陽電池モジュール。
【請求項５】
前記一方の化粧部材の厚みは、前記他方の化粧部材の厚みの１．１倍以上２．０倍以下であることを特徴とする請求項１〜４のいずれかに記載の太陽電池モジュール。
【請求項６】
前記光電変換素子は、支持基板上に積層され、薄膜太陽電池を構成していることを特徴とする請求項１〜５のいずれかに記載の太陽電池モジュール。
【請求項７】
支持基板と、フレーム部材を有し、
前記支持基板は、前記光電変換素子を支持するものであって、かつ、第１透光性基板と光電変換素子との間に介在しており、
前記フレーム部材は、前記第１透光性基板及び第２透光性基板を挟むものであって、かつ、前記第１透光性基板を支持基板側に押圧することを特徴とする請求項１〜６のいずれかに記載の太陽電池モジュール。
【請求項８】
前記第１透光性基板は、アクリル樹脂製であり、
前記支持基板は、ガラス製であることを特徴とする請求項７に記載の太陽電池モジュール。
【請求項９】
前記第１透光性基板及び第２透光性基板を挟むフレーム部材を有し、
前記複数の化粧部材の中には、正面視したときにフレーム部材の一部と重なる化粧部材である重畳化粧部材が存在することを特徴とする請求項１〜８のいずれかに記載の太陽電池モジュール。
【請求項１０】
第１透光性基板と、第２透光性基板と、前記第１透光性基板と第２透光性基板の間に光電変換素子と、を備える太陽電池モジュールにおいて、
前記光電変換素子は、光を照射したときに光エネルギーを電気エネルギーに変換可能であり、
透光性を有する複数の化粧部材を有し、
前記複数の化粧部材は、前記第１透光性基板上に面状に配されており、
前記第１透光性基板及び第２透光性基板を挟むフレーム部材を有し、
前記複数の化粧部材の中には、正面視したときにフレーム部材の一部と重なる化粧部材である重畳化粧部材が存在しており、
前記重畳化粧部材は、第１透光性基板に接着されており、かつ、正面視したときに、第１透光性基板からフレーム部材に跨って配されていることを特徴とする太陽電池モジュール。
【請求項１１】
第１透光性基板と、第２透光性基板と、前記第１透光性基板と第２透光性基板の間に光電変換素子と、を備える太陽電池モジュールにおいて、
前記光電変換素子は、光を照射したときに光エネルギーを電気エネルギーに変換可能であり、
透光性を有する複数の化粧部材を有し、
前記複数の化粧部材は、前記第１透光性基板上に面状に配されており、
前記第１透光性基板及び第２透光性基板を挟むフレーム部材を有し、
前記第１透光性基板は、切り欠き部を有し、
前記フレーム部材は、前記切り欠き部に嵌められており、
前記光電変換素子を基準としたときに前記第１透光性基板の外側の主面とフレーム部材の外側面の一部が面一となっていることを特徴とする太陽電池モジュール。
【請求項１２】
第１透光性基板と、第２透光性基板と、前記第１透光性基板と第２透光性基板の間に光電変換素子と、を備える太陽電池モジュールにおいて、
前記光電変換素子は、光を照射したときに光エネルギーを電気エネルギーに変換可能であり、
透光性を有する複数の化粧部材を有し、
前記複数の化粧部材は、前記第１透光性基板上に面状に配されており、
透光性を有する複数の第２化粧部材を有し、
前記複数の第２化粧部材は、前記第２透光性基板上に面状に敷き詰められ、
前記第１透光性基板の主面を正面視したときに、前記化粧部材は、第２化粧部材と重なっており、かつ化粧部材の外周縁が第２化粧部材の外周縁と一致していることを特徴とする太陽電池モジュール。
【請求項１３】
前記光電変換素子は、光を照射したときに光の一部を透過するものであり、
前記第１透光性基板側からみたときに、前記第１透光性基板側から前記第２透光性基板側が透過して見えるシースルー型の太陽電池モジュールであることを特徴とする請求項１〜１２のいずれかに記載の太陽電池モジュール。
【請求項１４】
請求項１〜１３のいずれかに記載の太陽電池モジュールであって、
他の太陽電池モジュールともに建物の壁面の一部を形成する太陽電池モジュールにおいて、
前記化粧部材は、自己の太陽電池モジュールから隣接する他の太陽電池モジュールに跨って設置されていることを特徴とする太陽電池モジュール。
【請求項１５】
請求項７〜１１のいずれかに記載の太陽電池モジュールを使用して形成される壁面構造であって、
複数の前記太陽電池モジュールを面状に敷き詰めて形成される壁面構造において、
前記太陽電池モジュールを縦姿勢に固定する固定部材を有し、
前記固定部材は、前記フレーム部材の前記化粧部材からの露出部分を覆うことを特徴とする壁面構造。
【請求項１６】
第１透光性基板と、第２透光性基板と、前記第１透光性基板と第２透光性基板の間に光電変換素子と、を備える太陽電池モジュールであって、前記光電変換素子は、光を照射したときに光エネルギーを電気エネルギーに変換可能であり、透光性を有する複数の化粧部材を有し、前記複数の化粧部材は、前記第１透光性基板上に面状に配されている太陽電池モジュールを使用して形成される壁面構造であって、
複数の前記太陽電池モジュールを面状に敷き詰めて形成される壁面構造において、
前記太陽電池モジュールを縦姿勢に固定する固定部材と、光を遮蔽する遮蔽手段を有し、
正面視したときに、前記固定部材は、前記遮蔽手段によって覆われていることを特徴とする壁面構造。
【請求項１７】
第１透光性基板と、第２透光性基板と、前記第１透光性基板と第２透光性基板の間に光電変換素子と、を備える太陽電池モジュールであって、前記光電変換素子は、光を照射したときに光エネルギーを電気エネルギーに変換可能であり、透光性を有する複数の化粧部材を有し、前記複数の化粧部材は、前記第１透光性基板上に面状に配されている太陽電池モジュールを使用して形成される壁面構造であって、
複数の前記太陽電池モジュールを面状に敷き詰めて形成される壁面構造において、
前記太陽電池モジュールを縦姿勢に固定する固定部材を有し、
前記複数の化粧部材の中には、正面視したときに前記固定部材の一部と重なる化粧部材である遮蔽化粧部材が存在することを特徴とする壁面構造。
【請求項１８】
請求項１５〜１７のいずれかに記載の壁面構造を備えることを特徴とする住宅。
【発明の詳細な説明】
【技術分野】
【０００１】
本発明は、主にファサードの一部を形成する太陽電池モジュールや壁面構造、住宅に関する。本発明は、特に、窓やベランダ等の手すり、建物の壁面等の壁面構造の一部又は全部として使用可能な太陽電池モジュールに関する。
【背景技術】
【０００２】
近年、環境負荷の低いエネルギー源として太陽電池モジュールが注目されている。
この太陽電池モジュールは、光エネルギーを電気エネルギーに変換可能な光電変換装置である。
太陽電池パネルは、透明電極層と、裏面電極層と、当該２つの電極層に挟まれた半導体接合等からなる光電変換層を有した光電変換素子を備えている。そして、この太陽電池パネルは、光電変換層に光を照射することにより発生するキャリア（電子及び正孔）を電極層により収集して外部回路に取り出すことが可能となっている。
【０００３】
従来の太陽電池パネルは、太陽光に対して十分な入射面積を確保するために、地面に対して平行かやや傾斜した姿勢で設置されている。そのため、居住環境において、太陽電池モジュールの設置位置は、平坦な地面や建物の屋根に限られていた。
しかしながら、一般の建物において屋根の面積は限られているため、屋根の全面に太陽電池を取り付けると、増設できないという問題があった。そのため、太陽電池パネルの普及とともに、新たな太陽電池パネルの設置場所の模索がなされていた。
【０００４】
そこで、特許文献１では、建物のバルコニーの一部として太陽電池モジュールを使用する構造が開示されている。
【先行技術文献】
【特許文献】
【０００５】
【特許文献１】特開２０１４−４３６７７号公報
【発明の概要】
【発明が解決しようとする課題】
【０００６】
しかしながら、従来の太陽電池モジュールの場合、複数枚の太陽電池モジュールを面状に敷き詰めて塀等の壁面の一部を形成したときに、壁面のどの部分でも一様に同一の意匠であり、単調なデザインとなってしまうという問題があった。
また、近年では、建物のデザイン性が向上しており、ファサードのバリエーションが豊富となってきている。そのため、建物の購入者の中には、自己の好みにあった独自性の高いファサードを選択したいという要望がある。すなわち、太陽電池モジュールを建物のファサードの一部として設ける場合でも、建物と一体性が生まれるようなデザインや通行人が目を引くようなデザインなどの独創性の高いデザインが求められていた。
【０００７】
そこで、上記した問題に鑑み、従来にない新たなデザインの太陽電池モジュール、壁面構造、及び住宅を提供することを目的とする。
【課題を解決するための手段】
【０００８】
上記した課題を解決するための請求項１に記載の発明は、第１透光性基板と、第２透光性基板と、前記第１透光性基板と第２透光性基板の間に光電変換素子と、を備える太陽電池モジュールにおいて、前記光電変換素子は、光を照射したときに光エネルギーを電気エネルギーに変換可能であり、透光性を有する複数の化粧部材を有し、前記複数の化粧部材は、前記第１透光性基板とは別体の板材であって、前記第１透光性基板上に面状に敷き詰められており、前記複数の化粧部材の中には、少なくともヘイズの異なる複数種類の化粧部材が存在し、前記複数種類の化粧部材のうち、別体であってかつ厚みが異なる２種類の化粧部材が互いに隣接するように配されており、前記２種類の化粧部材のうち、一方の化粧部材は、片側表面に凹凸が形成されており、他方の化粧部材は、片側表面が平滑であることを特徴とする太陽電池モジュールである。
本発明は、第１透光性基板と、第２透光性基板と、前記第１透光性基板と第２透光性基板の間に光電変換素子と、を備える太陽電池モジュールにおいて、前記光電変換素子は、光を照射したときに光エネルギーを電気エネルギーに変換可能であって、かつ、光の一部を透過するものであり、透光性を有する複数の化粧部材を有し、前記複数の化粧部材は、前記第１透光性基板上に面状に配されている太陽電池モジュールに関連する。
【０００９】
ここでいう「透光性」とは、光の少なくとも一部を透過する機能をいい、具体的には、光透過率が３０パーセント以上１００パーセント以下のものをいう。すなわち、防眩処理が施された基板であっても、光を３０パーセント以上透過すれば、本明細書の透光性に該当する。
【００１０】
本発明の構成によれば、第１透光性基板と、光電変換素子と、第２透光性基板がいずれも光を透過し、第１透光性基板側からみたときに、第１透光性基板側から第２透光性基板側が透過して見えるシースルー型の太陽電池モジュールである。そのため、例えば、建物の壁面に取り付けた場合でも建物内への採光が可能である。
本発明の構成によれば、複数の化粧部材が第１透光性基板上に面状に配されている。
例えば、第１透光性基板を正面視したときに、複数の化粧部材が散らばって面状に配されている場合には、化粧部材が配されている部位と、化粧部材が設けられていない部位とで、使用者からの見え方が異なる。そのため、従来の単なる板状の太陽電池モジュールに比べて、凹凸が強調された太陽電池モジュールとなる。
また、例えば、第１透光性基板を正面視したときに、複数の化粧部材が少しの間隔を空けつつ、敷き詰められている場合には、隣接する化粧部材との間に隙間があるため、従来の単なる板状の太陽電池モジュールに比べて、各化粧部材の輪郭が強調された太陽電池モジュールとなる。
さらに、例えば、第１透光性基板を正面視したときに、複数の化粧部材が隙間なく敷き詰められている場合には、隣接する化粧部材との間の境界部分に縁による線が入るため、各化粧部材の輪郭が見える太陽電池モジュールとなる。
このように本発明の構成によれば、化粧部材の敷き方によって、従来の太陽電池の単なる板状の面白味のないデザインから脱却した斬新なデザインの太陽電池モジュールとなる。
【００１１】
本発明に関連する発明は、前記複数の化粧部材の中には、少なくともヘイズの異なる２種類の化粧部材が存在し、前記複数の化粧部材は、前記第１透光性基板上に面状に敷き詰められ、前記２種類の化粧部材は、互いに隣接するように配されている太陽電池モジュールである。
【００１２】
ここでいう「ヘイズ」とは、全透過光に対する拡散光の割合を表す。
ここでいう「敷き詰める」とは、隙間なく敷き詰められている場合だけではなく、若干の隙間を空けて敷き詰められている場合も含む。
【００１３】
この構成によれば、第１透光性基板上に複数の化粧部材が敷き詰められ、隣接する２つの化粧部材のヘイズが異なるので、光が透過する化粧部材間で光電変換素子への光の透過の仕方が異なる。すなわち、化粧部材の外面に対して直交方向から光が入射した場合に、入射する化粧部材によって光電変換素子への光路が異なる。
具体的には、隣接する２つの化粧部材のうち、ヘイズが小さい化粧部材では、拡散光が少なく光電変換素子に光がほぼ直進して伝わり、ヘイズが大きい化粧部材では、光が拡散し、光電変換素子に光が広がって伝わる。
そのため、太陽電池モジュールの受光面への入射光が適度に分散して光電変換素子に伝わり、ホットスポットができにくくなる。
さらに、この構成によれば、複数の化粧部材が敷き詰められ、隣接する２つの化粧部材のヘイズが異なるので、使用者による太陽電池モジュールの見え方も化粧部材ごとに異なる。
例えば、ヘイズが小さい化粧部材では、拡散光成分が小さいため、直接光が透過し、くっきりと透けて見えるのに対して、ヘイズの大きい化粧部材では、拡散光成分が大きいため、白くぼやけたように見える。
そのため、それぞれの化粧部材の形状をそれぞれ明確にすることができ、今までに無い斬新なデザインの太陽電池モジュールとすることができる。
【００１４】
上記した発明は、前記２種類の化粧部材のうち、一方の化粧部材は、巨視的にみると表面が平滑であって、かつ、微視的にみると表面に微細な凹凸が形成されており、他方の化粧部材は、巨視的にみると表面が平滑であって、かつ、微視的にみても表面が平滑であってもよい。
【００１５】
この構成によれば、一方の化粧部材に対して微細な表面凹凸を形成することによって、ヘイズを調整し、他方の化粧部材と異なる見え方にすることができる。
また、この構成によれば、一方の化粧部材に対して微細な表面凹凸が形成されているので、拡散光の成分が大きくなり、光電変換素子側からの反射光が一方の化粧部材から抜けにくい。すなわち、入射光を一定量内部に封じこめることが可能であるため、光電変換素子での光電変換量を増加でき、従来のシースルー型太陽電池モジュールに比べて発電効率を向上させることができる。
【００１６】
請求項２に記載の発明は、一方の化粧部材に対して他方の化粧部材が突出していることを特徴とする請求項１に記載の太陽電池モジュールである。
本発明は、前記２種類の化粧部材は、厚みが異なっており、一方の化粧部材に対して他方の化粧部材が突出していることに関連する。
【００１７】
上記の構成によれば、隣接する２種類の化粧部材において、それぞれ第１透光性基板からの高さが異なるため、隣接する化粧部材間で段差が形成され、奥行きを持った立体的なレイアウトとなる。
また、上記の構成によれば、例えば、隣接する化粧部材のうち、高さの低い化粧部材に微細な凹凸を形成することによって、光電変換素子側からの反射光は、高さの低い化粧部材で再度反射されて光が外部に抜けにくくなるので、光の封じ込め効果が高く、従来に比べて発電効率を向上させることができる。
請求項３に記載の発明は、前記化粧部材の厚みは、１０ｍｍ以上５０ｍｍ以下であることを特徴とする請求項１又は２に記載の太陽電池モジュールである。
請求項４に記載の発明は、前記化粧部材のヘイズは、０．１パーセント以上０．５パーセント以下であることを特徴とする請求項１〜３のいずれかに記載の太陽電池モジュールである。
請求項５に記載の発明は、前記一方の化粧部材の厚みは、前記他方の化粧部材の厚みの１．１倍以上２．０倍以下であることを特徴とする請求項１〜４のいずれかに記載の太陽電池モジュールである。
請求項６に記載の発明は、前記光電変換素子は、支持基板上に積層され、薄膜太陽電池を構成していることを特徴とする請求項１〜５のいずれかに記載の太陽電池モジュールである。
【００１８】
請求項７に記載の発明は、支持基板と、フレーム部材を有し、前記支持基板は、前記光電変換素子を支持するものであって、かつ、第１透光性基板と光電変換素子との間に介在しており、前記フレーム部材は、前記第１透光性基板及び第２透光性基板を挟むものであって、かつ、前記第１透光性基板を支持基板側に押圧することを特徴とする請求項１〜６のいずれかに記載の太陽電池モジュールである。
【００１９】
本発明の構成によれば、フレーム部材が第１透光性基板を支持基板側に押圧しているため、支持基板に対して第１透光性基板が離反しにくく、一体化強度が高い。
【００２０】
請求項８に記載の発明は、前記第１透光性基板は、アクリル樹脂製であり、前記支持基板は、ガラス製であることを特徴とする請求項７に記載の太陽電池モジュールである。
【００２１】
一般的に、ガラス基板とアクリル基板は、接着剤を使用したときに接着性が悪いため、重ねて接着させて使用されることは少ない。
一方、本発明の構成によれば、フレーム部材によって、アクリル樹脂製の第１透光性基板とガラス製の支持基板を近接した状態で固定しているので、接着剤を使用したときに接着性の悪いガラス製の部材とアクリル製の部材の関係であっても分離しにくい。
【００２２】
請求項９に記載の発明は、前記第１透光性基板及び第２透光性基板を挟むフレーム部材を有し、前記複数の化粧部材の中には、正面視したときにフレーム部材の一部と重なる化粧部材である重畳化粧部材が存在することを特徴とする請求項１〜８のいずれかに記載の太陽電池モジュールである。
【００２３】
本発明の構成によれば、重畳化粧部材がフレーム部材の一部と重なっており、フレーム部材の一部が化粧部材によって隠されているので、フレーム部材が正面から見えにくく、意匠性が高い。
【００２４】
請求項１０に記載の発明は、第１透光性基板と、第２透光性基板と、前記第１透光性基板と第２透光性基板の間に光電変換素子と、を備える太陽電池モジュールにおいて、前記光電変換素子は、光を照射したときに光エネルギーを電気エネルギーに変換可能であり、透光性を有する複数の化粧部材を有し、前記複数の化粧部材は、前記第１透光性基板上に面状に配されており、前記第１透光性基板及び第２透光性基板を挟むフレーム部材を有し、前記複数の化粧部材の中には、正面視したときにフレーム部材の一部と重なる化粧部材である重畳化粧部材が存在しており、前記重畳化粧部材は、第１透光性基板に接着されており、かつ、正面視したときに、第１透光性基板からフレーム部材に跨って配されていることを特徴とする太陽電池モジュールである。
すなわち、本発明は、前記重畳化粧部材は、第１透光性基板に接着されており、かつ、正面視したときに、第１透光性基板からフレーム部材に跨って配されている。
【００２５】
本発明の構成によれば、第１透光性基板によって重畳化粧部材が保持されているので、例えば、フレーム部材と重畳化粧部材の接着性が悪くても、重畳化粧部材の安定した設置が可能である。
【００２６】
請求項１１に記載の発明は、第１透光性基板と、第２透光性基板と、前記第１透光性基板と第２透光性基板の間に光電変換素子と、を備える太陽電池モジュールにおいて、前記光電変換素子は、光を照射したときに光エネルギーを電気エネルギーに変換可能であり、透光性を有する複数の化粧部材を有し、前記複数の化粧部材は、前記第１透光性基板上に面状に配されており、前記第１透光性基板及び第２透光性基板を挟むフレーム部材を有し、前記第１透光性基板は、切り欠き部を有し、前記フレーム部材は、前記切り欠き部に嵌められており、前記光電変換素子を基準としたときに前記第１透光性基板の外側の主面とフレーム部材の外側面の一部が面一となっていることを特徴とする太陽電池モジュールである。
本発明は、前記第１透光性基板及び第２透光性基板を挟むフレーム部材を有し、前記第１透光性基板は、切り欠き部を有し、前記フレーム部材は、前記切り欠き部に嵌められており、前記光電変換素子を基準としたときに前記第１透光性基板の外側の主面とフレーム部材の外側面の一部が面一となっている。
【００２７】
本発明の構成によれば、フレーム部材と第１透光性基板との間に段差がないため、化粧部材を容易にフレーム部材に重なるように設けることができる。
【００２８】
請求項１２に記載の発明は、第１透光性基板と、第２透光性基板と、前記第１透光性基板と第２透光性基板の間に光電変換素子と、を備える太陽電池モジュールにおいて、前記光電変換素子は、光を照射したときに光エネルギーを電気エネルギーに変換可能であり、透光性を有する複数の化粧部材を有し、前記複数の化粧部材は、前記第１透光性基板上に面状に配されており、透光性を有する複数の第２化粧部材を有し、前記複数の第２化粧部材は、前記第２透光性基板上に面状に敷き詰められ、前記第１透光性基板の主面を正面視したときに、前記化粧部材は、第２化粧部材と重なっており、かつ化粧部材の外周縁が第２化粧部材の外周縁と一致していることを特徴とする太陽電池モジュールである。
すなわち、本発明は、透光性を有する複数の第２化粧部材を有し、前記複数の第２化粧部材は、前記第２透光性基板上に面状に敷き詰められ、前記第１透光性基板の主面を正面視したときに、前記化粧部材は、第２化粧部材と重なっており、かつ化粧部材の外周縁が第２化粧部材の外周縁と一致している。
【００２９】
本発明の構成によれば、第１透光性基板の主面に対して直交する方向から見たときに、第１透光性基板の手前に位置する化粧部材の外形形状と第２透光性基板の奥側に位置する第２化粧部材の外形形状が一致しているので、第２透光性基板上の隣接する第２化粧部材間の境界部位が化粧部材から透けて見えることを防止できる。そのため、意匠性が高い太陽電池モジュールとなる。
請求項１３に記載の発明は、前記光電変換素子は、光を照射したときに光の一部を透過するものであり、前記第１透光性基板側からみたときに、前記第１透光性基板側から前記第２透光性基板側が透過して見えるシースルー型の太陽電池モジュールであることを特徴とする請求項１〜１２のいずれかに記載の太陽電池モジュールである。
【００３０】
請求項１４に記載の発明は、請求項１〜１３のいずれかに記載の太陽電池モジュールであって、他の太陽電池モジュールともに建物の壁面の一部を形成する太陽電池モジュールにおいて、前記化粧部材は、自己の太陽電池モジュールから隣接する他の太陽電池モジュールに跨って設置されていることを特徴とする太陽電池モジュールである。
【００３１】
本発明の構成によれば、太陽電池モジュールを敷き詰めて建物の壁面を形成したときに、隣接する太陽電池モジュール間の境界を化粧部材によって隠せるため、使用者に太陽電池モジュール間の境界を見えにくくでき、使用者にあたかも途切れなく連続した壁面のように見せることができる。
【００３２】
請求項１５に記載の発明は、請求項７〜１１のいずれかに記載の太陽電池モジュールを使用して形成される壁面構造であって、複数の前記太陽電池モジュールを面状に敷き詰めて形成される壁面構造において、前記太陽電池モジュールを縦姿勢に固定する固定部材を有し、前記固定部材は、前記フレーム部材の前記化粧部材からの露出部分を覆うことを特徴とする壁面構造である。
【００３３】
本発明の構成によれば、太陽電池モジュールはその主面が鉛直方向に対して交差する方向を向くように固定部材によって固定されるものである。すなわち、太陽電池モジュールの主面は、使用者や通行人などを向く姿勢となっている。
本発明の構成によれば、使用者や通行人などから見えるフレーム部材が固定部材によって隠されているため、使用者や通行人などから、フレーム部材が見えにくく、意匠性が高い。
【００３４】
請求項１６に記載の発明は、第１透光性基板と、第２透光性基板と、前記第１透光性基板と第２透光性基板の間に光電変換素子と、を備える太陽電池モジュールであって、前記光電変換素子は、光を照射したときに光エネルギーを電気エネルギーに変換可能であり、透光性を有する複数の化粧部材を有し、前記複数の化粧部材は、前記第１透光性基板上に面状に配されている太陽電池モジュールを使用して形成される壁面構造であって、複数の前記太陽電池モジュールを面状に敷き詰めて形成される壁面構造において、前記太陽電池モジュールを縦姿勢に固定する固定部材と、光を遮蔽する遮蔽手段を有し、正面視したときに、前記固定部材は、前記遮蔽手段によって覆われていることを特徴とする壁面構造である。
本発明は、上記の太陽電池モジュールを使用して形成される壁面構造であって、複数の前記太陽電池モジュールを面状に敷き詰めて形成される壁面構造において、前記太陽電池モジュールを縦姿勢に固定する固定部材と、光を遮蔽する遮蔽手段を有し、正面視したときに、前記固定部材は、前記遮蔽手段によって覆われている壁面構造に関連する。
【００３５】
上記の構成によれば、太陽電池モジュールを縦姿勢に固定する固定部材が遮蔽手段によって覆われているため、使用者や通行人から固定部材が目立ちにくく、意匠性に優れた壁面構造となる。
【００３６】
請求項１７に記載の発明は、第１透光性基板と、第２透光性基板と、前記第１透光性基板と第２透光性基板の間に光電変換素子と、を備える太陽電池モジュールであって、前記光電変換素子は、光を照射したときに光エネルギーを電気エネルギーに変換可能であり、透光性を有する複数の化粧部材を有し、前記複数の化粧部材は、前記第１透光性基板上に面状に配されている太陽電池モジュールを使用して形成される壁面構造であって、複数の前記太陽電池モジュールを面状に敷き詰めて形成される壁面構造において、前記太陽電池モジュールを縦姿勢に固定する固定部材を有し、前記複数の化粧部材の中には、正面視したときに前記固定部材の一部と重なる化粧部材である遮蔽化粧部材が存在することを特徴とする壁面構造である。
本発明は、上記の太陽電池モジュールを使用して形成される壁面構造であって、複数の前記太陽電池モジュールを面状に敷き詰めて形成される壁面構造において、前記太陽電池モジュールを縦姿勢に固定する固定部材を有し、前記複数の化粧部材の中には、正面視したときに前記固定部材の一部と重なる化粧部材である遮蔽化粧部材が存在する壁面構造に関連する。
【００３７】
上記の構成によれば、通常の化粧部材を兼ねた遮蔽化粧部材によって固定部材が隠されるため、固定部材を見えにくくできるとともに部品点数の増加も抑制できる。
【００３８】
請求項１８に記載の発明は、請求項１５〜１７のいずれかに記載の壁面構造を備えることを特徴とする住宅である。
【００３９】
本発明の構成によれば、意匠性に優れた壁面を有する住宅となる。
【発明の効果】
【００４０】
本発明の太陽電池モジュール及び壁面構造によれば、従来にない新たなデザインの太陽電池モジュール、壁面構造、及び住宅となる。
【図面の簡単な説明】
【００４１】
【図１】本発明の第１実施形態の太陽電池モジュールの設置状態を模式的に表す斜視図である。
【図２】図１の太陽電池モジュールの正面側からみた斜視図である。
【図３】図２の太陽電池モジュールを裏面側からみた斜視図である。
【図４】図２の太陽電池モジュールの分解斜視図である。
【図５】図４の要部の分解斜視図である。
【図６】図２の太陽電池モジュールの縦断面図である。
【図７】図２の太陽電池モジュールの説明図であり、（ａ）は正面図であり、（ｂ）は背面図である。
【図８】図４のフレーム部材を表す一部破断斜視図である。
【図９】図４の太陽電池モジュールの断面斜視図であり、第１装飾部材及び第２装飾部材を省略した図である。
【図１０】本発明の第２実施形態の太陽電池モジュールの設置状態を模式的に表す斜視図である。
【図１１】図１０の壁面構造の斜視図である。
【図１２】図１０の壁面構造の正面図である。
【図１３】図１１の壁面構造の分解斜視図であり、固定柱から散乱シート及び化粧板を分解した図である。
【図１４】図１１の太陽電池モジュールの分解斜視図である。
【図１５】図１１の太陽電池モジュールの縦断面図である。
【図１６】図１１の太陽電池モジュールの説明図であり、（ａ）は正面図であり、（ｂ）は背面図である。
【図１７】図１１の固定柱の一部破断斜視図である。
【図１８】図１１の壁面構造の組み立て手順の説明図であり、固定柱を床面に取り付けた際の斜視図である。
【図１９】図１１の壁面構造の組み立て手順の説明図であり、固定柱に一段目の太陽電池モジュールを取り付ける際の斜視図である。
【図２０】図１１の壁面構造の組み立て手順の説明図であり、固定柱に一段目の太陽電池モジュールの配線を挿通孔に挿入した際の斜視図である。
【図２１】図１１の壁面構造の組み立て手順の説明図であり、固定柱に一段目の太陽電池モジュールを固定する際の背面側からみた斜視図である。
【図２２】図１１の壁面構造の組み立て手順の説明図であり、固定柱に二段目の太陽電池モジュールを取り付ける際の斜視図である。
【図２３】図１１の壁面構造の組み立て手順の説明図であり、固定柱に二段目の太陽電池モジュールの配線を一段目の仕掛太陽電池モジュールの挿通孔に挿入する際の一部破断斜視図である。
【図２４】図１１の壁面構造の組み立て手順の説明図であり、固定柱に二段目の太陽電池モジュールを固定する際の背面側からみた斜視図である。
【図２５】図１１の壁面構造の組み立て手順の説明図であり、固定柱に遮蔽部を形成する際の斜視図である。
【図２６】本発明の第３実施形態の壁面構造の正面図である。
【図２７】図２６の壁面構造の組み立て手順の説明図であり、固定柱に一段目の太陽電池モジュールを取り付ける際の斜視図である。
【図２８】図２６の壁面構造の組み立て手順の説明図であり、固定柱に二段目の太陽電池モジュールを取り付ける際の斜視図である。
【図２９】図２６の壁面構造の組み立て手順の説明図であり、固定柱に固定された太陽電池モジュールに対して化粧部材を貼る際の斜視図である。
【図３０】図２６の壁面構造の組み立て手順の説明図であり、固定柱に固定された太陽電池モジュールに対して化粧部材を貼った後の状況を表す縦断面図である。
【図３１】本発明の第４実施形態の壁面構造の要部の斜視図である。
【図３２】図３１の固定柱及びその周囲の横断面図である。
【図３３】本発明の他の実施形態の壁面構造の固定柱及びその周囲の横断面図である。
【図３４】本発明の他の実施形態の壁面構造の固定柱及びその周囲の横断面図である。
【図３５】本発明の他の実施形態の太陽電池モジュールの斜視図である。
【図３６】本発明の他の太陽電池モジュールの斜視図である。
【図３７】本発明の他の実施形態の壁面構造の正面図である。
【図３８】本発明の他の実施形態の太陽電池モジュールの正面図であり、（ａ）は三角形状の化粧部材を使用した場合を表し、（ｂ）は六角形状の化粧部材を使用した場合を表す。
【発明を実施するための形態】
【００４２】
以下、本発明の実施形態について詳細に説明する。
なお、以下の説明において、特に断りがない限り、太陽電池モジュール１の上下の位置関係は、図２に示される通常の設置姿勢を基準に説明する。すなわち、太陽電池モジュール１を立てた姿勢を基準とする。また、光電変換素子１１を基準として内外を規定する。
【００４３】
本発明の第１実施形態の太陽電池モジュール１は、図１に示されるように、主に建物のファサードとして使用されるものであり、建物の壁面や塀の壁面の一部を形成する壁面形成部材である。具体的には、本実施形態の太陽電池モジュール１は、住宅８０の壁面の一部を形成する壁面形成部材である。
【００４４】
太陽電池モジュール１は、図４，図６から読み取れるように、太陽電池パネル２と、第１透光性基板３と、第２透光性基板５と、第１装飾部材６と、第２装飾部材７と、フレーム部材８を有している。
【００４５】
太陽電池パネル２は、いわゆる薄膜太陽電池を実装した太陽電池パネルであり、その内部に複数の薄膜が積層した多層構造の太陽電池を備えている。
太陽電池パネル２は、図６から読み取れるように、支持基板１０上に光電変換素子１１が積層され、当該光電変換素子１１を封止部材１２によって封止したものである。
【００４６】
支持基板１０は、光電変換素子１１を支持する基板であり、透光性を有した絶縁基板である。
支持基板１０は、透光性及び絶縁性を有していれば特に限定されるものではなく、例えば、ガラス製やアクリル樹脂製の基板などが使用できる。
本実施形態では、支持基板１０は、透光性の観点から、ガラス基板を採用している。
【００４７】
光電変換素子１１は、光を照射することで光エネルギーを電気エネルギーに変換可能な部位であり、図６の拡大図のように、正極層１５と負極層１７に光電変換層１６が挟まれたものである。
【００４８】
封止部材１２は、光電変換素子１１を封止する透光性を有した部材である。
封止部材１２は、透光性及び絶縁性を有していれば特に限定されるものではなく、例えば、ガラス製やアクリル樹脂製の基板やＥＶＡ樹脂（エチレン・酢酸ビニル共重合樹脂）などの透明樹脂膜などが使用できる。
本実施形態では、封止部材１２は、光電変換素子１１をＥＶＡ樹脂膜で覆い、さらにその外側をガラス基板で覆って形成されている。
【００４９】
また、本実施形態の太陽電池パネル２は、いわゆるシースルー型の太陽電池パネルであり、太陽電池パネル２の表側から裏側を視認可能である。
太陽電池パネル２は、光電変換素子１１に光を透過するための図示しない開口を有している。
太陽電池パネル２を平面視したときの光電変換素子１１の開口率は、３０パーセント以上６０パーセント以下であることが好ましい。
また、本実施形態の太陽電池パネル２は、光を片側の主面に照射した場合の光の透過率は、３０パーセント以上４０パーセント以下であることが好ましい。
本実施形態の太陽電池パネル２では、光電変換素子１１の開口率は、５０パーセントであり、光透過率は、３５パーセント程度である。
【００５０】
また、太陽電池パネル２は、正面視したときに円形状又は多角形状をしており、連続した縁を備えている。
本実施形態の太陽電池パネル２は、図４に示されるように、正面視したときに四角形状である。具体的には、太陽電池パネル２は、長方形状であり、２つの対向する２辺を有している。そして、太陽電池パネル２は、図示しない端子ボックスを介して、一辺から正極配線１３と、負極配線１４が張り出している。
【００５１】
配線１３，１４は、光電変換素子１１から電気エネルギーを外部に取り出す配線であり、互いに離反する方向に延びている。
正極配線１３は、光電変換素子１１の正極層１５（図６の拡大図参照）と電気的に接続された配線である。
負極配線１４は、光電変換素子１１の負極層１７（図６の拡大図参照）と電気的に接続された配線である。
【００５２】
第１透光性基板３は、図５，図６から読み取れるように、第１装飾部材６を支持する支持基板であり、透光性を有した絶縁基板である。
第１透光性基板３は、透光性及び絶縁性を有していれば特に限定されるものではなく、例えば、アクリル樹脂製の基板などが使用できる。
本実施形態の第１透光性基板３は、アクリル基板を採用している。
【００５３】
第１透光性基板３は、太陽電池パネル２の外側を覆う部材であり、正面視したときに太陽電池パネル２と略同一形状をしている。すなわち、第１透光性基板３は、長方形状をしている。
【００５４】
第１透光性基板３は、図５，図６から読み取れるように、平面視したときに各辺２２（２２ａ，２２ｂ，２２ｃ，２２ｄ）に沿って切り欠かれた切り欠き部２０（２０ａ，２０ｂ，２０ｃ，２０ｄ）を有している。
【００５５】
切り欠き部２０は、第１透光性基板３の角部が切り欠かれた切り欠きであり、縁に沿って延びている。
切り欠き部２０は、図６に示されるように、後述するフレーム部材８の前面覆部４０の外面に沿った形状をしており、前面覆部４０を装着可能となっている。
【００５６】
第２透光性基板５は、第２装飾部材７を支持する支持基板であり、透光性を有した絶縁基板である。
第２透光性基板５は、透光性及び絶縁性を有していれば特に限定されるものではなく、例えば、ガラス製やアクリル樹脂製の基板などが使用できる。
本実施形態の第２透光性基板５は、ガラス基板を採用している。
【００５７】
第２透光性基板５は、図４のように第１透光性基板３と概ね同様の形状を有しており、平面視したときに各辺２３に沿って切り欠かれた切り欠き部２１（２１ａ，２１ｂ，２１ｃ，２１ｄ）を有している。
切り欠き部２１は、第１透光性基板３の切り欠き部２０に対応する部位であって、第２透光性基板５の角部が切り欠かれた切り欠きであり、縁に沿って延びている。
切り欠き部２１は、図６のように、後述するフレーム部材８の後面覆部４２の外面に沿った形状をしており、後面覆部４２を装着可能となっている。
【００５８】
第１装飾部材６は、太陽電池モジュール１の装飾性を高める部材であり、図２に示されるように第１透光性基板３上に複数種類の第１化粧部材３０，３１（化粧部材）を複数枚面状に敷き詰めて形成されるものである。
本実施形態の第１装飾部材６は、ヘイズ及び寸法が異なる２種類の第１化粧部材３０，３１を複数枚敷き詰めることによって形成されている。
【００５９】
第１化粧部材３０は、透光性を有した板材であり、長方形状の板材である。具体的には、第１化粧部材３０は、アクリル樹脂製の板材で形成されており、少なくとも片側表面に凹凸加工が施されている。すなわち、第１化粧部材３０は、図６に示されるように、巨視的にみると表面が平滑であって、かつ、微視的にみると表面に微細な凹凸３５が形成されている。
【００６０】
第１化粧部材３０の片面は、当該凹凸３５によって防眩機能が付加されており、表面で光が反射しにくくなっている。すなわち、第１化粧部材３０は、表面に防眩処理がほどこされた防眩化粧部材である。
化粧部材３０の厚みは、１０ｍｍ以上５０ｍｍ以下であることが好ましい。
この範囲であれば、太陽電池パネル２が薄膜太陽電池パネルであることの利点（例えば、薄い）を活かしつつ、装飾性を確保できる。
凹凸３５の形成方法としては、特に限定されるものではなく、例えば、ブラスト加工によって凹凸３５を形成することができる。
【００６１】
第１化粧部材３１は、透光性を有した板材であり、長方形状の板材である。具体的には、第１化粧部材３１は、アクリル樹脂製の板材で形成されている。
第１化粧部材３１は、上記した第１化粧部材３０とは異なり、表面に凹凸加工がされていない。すなわち、第１化粧部材３１は、巨視的にみると表面が平滑であって、かつ、微視的にみても表面が平滑である。
また別の観点からみると、第１化粧部材３１は、第１化粧部材３０よりも光透過率が大きい。すなわち、第１化粧部材３０と第１化粧部材３１は、正面側から見たときに、それぞれ見え方が異なっており、第１化粧部材３０では、裏面側が白く濁って見えるのに対して、第１化粧部材３１では、裏面側が透けて見える。すなわち、第１化粧部材３０は、半透明化粧板であるのに対して、第１化粧部材３１は、透明化粧部材であるといえる。
また、第１化粧部材３１のヘイズは、０．０５パーセント以上１パーセント以下であることが好ましく、０．１パーセント以上０．５パーセント以下であることがより好ましい。
一方、凹凸３５を有する第１化粧部材３０のヘイズは、第１化粧部材３１のヘイズの１．５倍以上５倍以下であることが好ましい。
この範囲であれば、第１化粧部材３０と第１化粧部材３１間で見え方に明らかな違いを出すことができる。
【００６２】
第２装飾部材７は、図３に示されるように、太陽電池モジュール１の装飾性を高める部材であり、第１装飾部材６と同様、複数種類の第２化粧部材３２，３３を敷き詰めて形成されるものである。
本実施形態の第２装飾部材７は、第１装飾部材６と同様、ヘイズ及び寸法が異なる２種類の第２化粧部材３２，３３を複数枚敷き詰めることによって形成されている。
【００６３】
第２化粧部材３２は、透光性を有した板材であり、長方形状の板材である。具体的には、第２化粧部材３２は、アクリル樹脂製の板材で形成されており、片側表面に凹凸加工が施されている。
すなわち、第２化粧部材３２は、図６に示されるように、巨視的にみると表面が平滑であって、かつ、微視的にみると表面に微細な凹凸３６が形成されている。
第２化粧部材３２の片面は、当該凹凸３６によって防眩機能が付加されており、表面で光が反射しにくくなっている。すなわち、第２化粧部材３２は、表面に防眩処理がほどこされた防眩化粧部材である。
第２化粧部材３２の厚みは、１０ｍｍ以上５０ｍｍ以下であることが好ましい。
凹凸３６の形成方法としては、特に限定されるものではなく、例えば、ブラスト加工によって凹凸３６を形成することができる。
【００６４】
第２化粧部材３３は、透光性を有した板材であり、長方形状の板材である。具体的には、第２化粧部材３３は、アクリル樹脂製の板材で形成されている。
第２化粧部材３３は、第２化粧部材３２とは異なり、凹凸加工がされていない。すなわち、第２化粧部材３３は、巨視的にみると表面が平滑であって、かつ、微視的にみても表面が平滑である。
また別の観点からみると、第２化粧部材３３は、第２化粧部材３２よりも光透過率が大きい。すなわち、第２化粧部材３２と第２化粧部材３３は、正面側から見たときに、それぞれ見え方が異なっており、第２化粧部材３２では、裏面側が白く濁って見えるのに対して、第２化粧部材３３では、裏面側が透けて見える。すなわち、第２化粧部材３２は、半透明化粧板であるのに対して、第２化粧部材３３は、透明化粧部材であるといえる
また第２化粧部材３３の厚みは、第２化粧部材３２の厚みよりも若干厚いことが好ましく、具体的には、第２化粧部材３３の厚みは、第２化粧部材３２の厚みの１．１倍〜２．０倍であることが好ましい。
【００６５】
フレーム部材８は、図６に示されるように、太陽電池パネル２の外周面を保護する部材であって、かつ、第１透光性基板３と第２透光性基板５を互いに近接させる部材である。
フレーム部材８は、図７，図８から読み取れるように正面視したときに「ロ」の字状をした部材である。
フレーム部材８は、太陽電池パネル２の上端部を保護する上側覆部６０と、太陽電池パネル２の下端部を保護する下側覆部６１と、太陽電池パネル２の左右の端部を保護する左側覆部６２及び右側覆部６３を有しており、これらが四角環状に連続している。
【００６６】
また、フレーム部材８は、図８に示されるように、断面形状が「コ」字状をしており、前面覆部４０と、端面覆部４１と、後面覆部４２を有している。
【００６７】
前面覆部４０は、図６に示されるように、前後方向Ｚの第１透光性基板３の前面（外側面）の一部を覆う部位である。
前面覆部４０は、図４，図６から読み取れるように、正面視したときに第１透光性基板３の各辺２２ａ〜２２ｄに沿って延びている。具体的には、前面覆部４０は、第１透光性基板３の縁に沿って四角環状に延びている。
前面覆部４０の厚みは、第１透光性基板３の切り欠き部２０の切り欠き深さ（切り欠き部２０の第１透光性基板３の厚み方向Ｚの深さ）とほぼ同等となっており、前面覆部４０の幅も第１透光性基板３の切り欠き部２０の切り欠き幅とほぼ同等となっている。
【００６８】
端面覆部４１は、第１透光性基板３の端面及び第２透光性基板５の端面を覆う部位である。
端面覆部４１は、図７，図８から読み取れるように、上面形成部４７、下面形成部４８、左面形成部４９、及び右面形成部５０から形成されている。
【００６９】
上面形成部４７は、図７，図８から読み取れるように、正面視したときに、太陽電池モジュール１の上側端面を形成する部位であり、下面形成部４８は、太陽電池モジュール１の下側端面を形成する部位である。
左面形成部４９は、太陽電池モジュール１の左側端面を形成する部位であり、右面形成部５０は、太陽電池モジュール１の右側端面を形成する部位である。
【００７０】
上面形成部４７及び下面形成部４８には、図８に示されるように、配線１３，１４を挿通可能な挿通孔４５，４６を有している。
挿通孔４５は、上面形成部４７の左側端部近傍に形成された貫通孔である。すなわち、挿通孔４５は、上下方向Ｙにおいて、端面覆部４１の上面形成部４７の内外に延びている。
【００７１】
挿通孔４６は、挿通孔４５と対となる貫通孔であって、下面形成部４８の左側端部近傍に形成された貫通孔である。すなわち、挿通孔４５は、上下方向Ｙにおいて、端面覆部４１の内外に延びている。また挿通孔４６は、挿通孔４５と上下方向Ｙに対応する位置に配されており、挿通孔４５と上下方向Ｙの投影面上と重なっている。
【００７２】
後面覆部４２は、図６に示されるように、第２透光性基板５の外側面の一部を覆う部位である。
後面覆部４２は、背面視したときに第２透光性基板５の各辺２３に沿って延びており、具体的には、前面覆部４０は、図４から読み取れるように、第２透光性基板５の縁に沿って四角環状に延びている。
【００７３】
ここで、フレーム部材８の各部位の位置関係に注目すると、前面覆部４０は、図８に示されるように、端面覆部４１の前方側端部から内側に向けて立ち上がっており、後面覆部４２は、端面覆部４１の後方側端部から内側に向けて立ち上がっている。すなわち、前面覆部４０と後面覆部４２は、前後方向Ｚに所定の間隔を空けて対面しており、前面覆部４０と後面覆部４２の間には空間５１が形成されている。
また、別の観点からみると、前面覆部４０と後面覆部４２は、端面覆部４１によって前後方向Ｚに平行であって、かつ、間隔を空けて対向するように維持されている。
【００７４】
続いて、太陽電池モジュール１の各部材の位置関係について説明する。
【００７５】
太陽電池パネル２は、図９に示されるように、第１透光性基板３及び第２透光性基板５に挟まれており、その外側からフレーム部材８が取り付けられている。すなわち、支持基板１０は、第１透光性基板３と光電変換素子１１との間に介在しており、封止部材１２は、第２透光性基板５と光電変換素子１１との間に介在している。
【００７６】
フレーム部材８の前面覆部４０は、図６から読み取れるように、第１透光性基板３の一部を覆っている。具体的には、フレーム部材８の前面覆部４０は、第１透光性基板３の切り欠き部２０に嵌められている。そして、フレーム部材８の前面覆部４０の外側面は、第１透光性基板３の外側主面と同一平面を形成しており、面一となっている。
別の観点からみると、第１透光性基板３は、図９に示されるように、フレーム部材８の前面覆部４０から露出した露出領域５５を有している。
【００７７】
第１透光性基板３の外側面（前面）上には、図６に示されるように、複数の第１化粧部材３０，３１が敷設されている。
具体的には、図２，図９から読み取れるように、フレーム部材８からの第１透光性基板３の露出領域５５上に第１化粧部材３０，３１が面状に敷き詰められている。言い換えると、第１化粧部材３０，３１は、露出領域５５内で略平面充填となっている。
ここでいう「略平面充填」とは、隙間なく充填されている場合だけではなく、若干の隙間（例えば、１ｃｍ以下）を空けて概ね充填されている場合も含む。
【００７８】
第１化粧部材３０，３１は、図２に示されるように、それぞれ長辺が左右方向Ｘを向くように敷き詰められており、左右方向Ｘに交互に並んでいる。また、第１化粧部材３０，３１は、上下方向Ｙにおいても交互に並んでいる。すなわち、第１化粧部材３０の周囲には、第１化粧部材３１が囲んでおり、第１化粧部材３１の周囲には、第１化粧部材３０が囲んでいる。
【００７９】
第１化粧部材３０，３１と第１透光性基板３の界面は、公知の透明接着剤（図示せず）によって接着されている。すなわち、第１化粧部材３０，３１の内側面は、公知の透明接着剤によって第１透光性基板３の外側面と接着されている。
【００８０】
フレーム部材８の後面覆部４２は、図６に示されるように、第２透光性基板５の一部を覆っている。具体的には、フレーム部材８の後面覆部４２は、第２透光性基板５の切り欠き部２１に嵌められている。そして、フレーム部材８の後面覆部４２の外側面は、第２透光性基板５の外側主面と同一平面を形成しており、面一となっている。
別の観点からみると、第２透光性基板５は、図９に示されるように、フレーム部材８の後面覆部４２から露出した露出領域５６を有している。
露出領域５６は、厚み方向Ｚに露出領域５５と対応する位置にあり、その厚み方向Ｚの投影面は露出領域５５と重なっている。
【００８１】
第２透光性基板５の外側面（後面）上には、図３に示されるように、第１透光性基板３の外側面上と同様、複数の第２化粧部材３２，３３が敷設されている。
具体的には、第２透光性基板５の露出領域５６上に第２化粧部材３２，３３が面状に敷き詰められている。言い換えると、第２化粧部材３２，３３は、露出領域５６内で略平面充填となっている。
【００８２】
第２化粧部材３２，３３は、概ね第１化粧部材３０，３１と部材厚方向に対応する位置に配されている。
すなわち、第２化粧部材３２，３３は、それぞれ長辺が左右方向Ｘを向くように敷き詰められており、左右方向Ｘに交互に並んでいる。また、第２化粧部材３２，３３は、上下方向Ｙにおいても交互に並んでいる。すなわち、第２化粧部材３２の周囲には、第２化粧部材３３が囲んでおり、第２化粧部材３３の周囲には、第２化粧部材３２が囲んでいる。
また、第１透光性基板３の主面を正面視したときに、第１化粧部材３０，３１は、第２化粧部材３２，３３と重なっており、かつ第１化粧部材３０，３１の外周縁が第２化粧部材３２，３３の外周縁と一致している。
【００８３】
第２化粧部材３２，３３と第２透光性基板５の界面は、公知の透明接着剤（図示せず）によって接着されている。
【００８４】
フレーム部材８の端面覆部４１は、図９に示されるように、第１透光性基板３及び第２透光性基板５の端面に跨って配されている。
第１透光性基板３は、フレーム部材８の前面覆部４０によって、太陽電池パネル２の支持基板１０側に押圧されており、第２透光性基板５は、フレーム部材８の後面覆部４２によって、太陽電池パネル２の封止部材１２側に押圧されている。すなわち、フレーム部材８によって、第１透光性基板３及び第２透光性基板５は互いに近接する方向に付勢されている。
【００８５】
また、図６に示されるように、太陽電池モジュール１を断面視すると、上記したように第１化粧部材３１の厚みは、第１化粧部材３０の厚みよりも厚いので、第１化粧部材３１は、隣接する第１化粧部材３０から厚み方向Ｚに張り出している。言い換えると、第１化粧部材３１は、隣接する第１化粧部材３０の外側面から厚み方向Ｚに突出している。
同様に、第２化粧部材３３の厚みは、第２化粧部材３２の厚みよりも厚いので、第２化粧部材３３は、隣接する第２化粧部材３２から厚み方向Ｚに張り出している。言い換えると、第２化粧部材３３は、隣接する第２化粧部材３２の外側面から厚み方向Ｚに突出している。
【００８６】
第１実施形態の太陽電池モジュール１によれば、装飾部材６，７への光の入射角度や照度の大きさによって見え方が異なるため、例えば、朝昼晩には、それぞれ異なった見え方となり、飽きにくい装飾となる。
【００８７】
また、第１実施形態の太陽電池モジュール１によれば、使用者の視野角度によって見え方が異なるため、使用者は太陽電池モジュール１を見る角度によって変化を楽しむことができる。
【００８８】
上記した実施形態では、１枚の太陽電池モジュール１によって建物の壁面の一部を形成する場合について説明したが、太陽電池モジュール１を応用し、複数枚の太陽電池モジュール１を使用して大きな壁面を形成してもよい。
この場合について、以下、第２実施形態として説明する。
【００８９】
第２実施形態の太陽電池モジュール１００は、図１０，図１１に示されるように、他の太陽電池モジュール１００とともに固定柱１０１（固定部材）に固定されて、建物や塀の一つの壁面構造１２０を形成するものである。具体的には、太陽電池モジュール１００は、住宅１２５の壁面構造１２０を形成するものである。
【００９０】
壁面構造１２０は、図１２，図１３から読み取れるように、太陽電池モジュール１００と、固定柱１０１と、遮蔽部材１１８（遮蔽手段）を有している。
【００９１】
太陽電池モジュール１００は、第１実施形態の太陽電池モジュール１と異なり、図１４，図１５から読み取れるように、正面視したときに、フレーム部材８と重なる重畳化粧部材１３０，１３１を有している。
重畳化粧部材１３０，１３１は、上下方向Ｙに両端に位置する化粧部材であり、露出領域５５からフレーム部材８に跨って形成されている。すなわち、重畳化粧部材１３０，１３１は、正面視したときに、上下方向Ｙの両端に位置し、帯状に延びている。
【００９２】
重畳化粧部材１３０は、図１５の拡大図に示されるように、断面形状が略「Ｌ」字状をしており、本体部１３２と、本体部１３２の一部から張り出した張出部１３３を有している。
本体部１３２は、透光性基板に取り付け可能な部位であって、化粧部材３０，３１と同様、長方形状の板状の部位である。
張出部１３３は、フレーム部材８の一部を遮蔽する部位であって、設置姿勢において、本体部１３２の外側端部から上方に向けて張り出した板状の部位である。
具体的には、張出部１３３は、本体部１３２の外側端部から上下方向Ｙに張り出しており、設置姿勢において、張出部１３３の外側面は、本体部１３２の外側面と同一平面を形成し、面一となっている。
すなわち、重畳化粧部材１３０は、張出部１３３の内側面と本体部１３２の内側面で段部を形成している。
【００９３】
重畳化粧部材１３１は、図１５の拡大図に示されるように、断面形状が略「Ｌ」字状をしており、本体部１３５と、本体部１３５の一部から張り出した張出部１３６を有している。
本体部１３５は、透光性基板に取り付け可能な部位であって、化粧部材３０，３１と同様、長方形状の板状の部位である。
張出部１３６は、フレーム部材８の一部を遮蔽する部位であって、設置姿勢において、本体部１３５の外側端部から下方に向けて張り出した板状の部位である。
具体的には、張出部１３６は、本体部１３５の外側端部から張り出しており、設置姿勢において、張出部１３６の外側面は、本体部１３５の外側面と同一平面を形成し、面一となっている。
すなわち、重畳化粧部材１３１は、張出部１３６の内側面と本体部１３５の内側面で段部を形成している。
【００９４】
太陽電池モジュール１００の各部位の位置関係について説明する。
【００９５】
太陽電池モジュール１００は、第１実施形態の太陽電池モジュール１と同様、表面及び裏面のそれぞれについて、フレーム部材８からの露出領域５５，５６内に化粧部材３０〜３３が敷き詰められている。
そして、フレーム部材８の周囲では、上記したように露出領域５５，５６を超えて上下方向Ｙにフレーム部材８まで重畳化粧部材１３０，１３１が延びている。
すなわち、太陽電池モジュール１００は、図１６のように正面視したときに、左右方向Ｘにおいて、化粧部材３０，３１，１３０，１３１が形成された化粧領域１１１と、化粧部材３０，３１，１３０，１３１が形成されていない固定領域１１２，１１３が形成されている。
【００９６】
固定柱１０１は、図１１，図１２から読み取れるように、各太陽電池モジュール１００を縦姿勢に支持する部材であって、所定の位置に固定する固定部材である。
すなわち、固定柱１０１は、図１２に示されるように、各太陽電池モジュール１００の主面が鉛直方向（上下方向Ｙ）に対して交差する方向に向いた姿勢で固定する部材である。
【００９７】
固定柱１０１は、図１７に示されるように、固定部１１５と、補強部１１６を有している。
【００９８】
固定部１１５は、図１７に示されるように、断面形状が「Ｈ」字状の棒状の部位であり、所定の間隔を空けて対面する前方板部１０２及び後方板部１０３と、前方板部１０２及び後方板部１０３を接続する接続板部１０５と、下板部１０８から形成されている。
接続板部１０５は、前方板部１０２及び後方板部１０３の間の空間を左右方向Ｘに２つに分割するように配されている。言い換えると、接続板部１０５は、横方向（左右方向Ｘ）において、２つの空間１０６，１０７によって挟まれている。
下板部１０８は、図１７に示されるように、配線１３又は配線１４を固定する板状部であり、前方板部１０２、後方板部１０３、及び接続板部１０５のいずれに対して直立する部位である。すなわち、下板部１０８は、接続板部１０５に対して左右方向Ｘに立設されており、空間１０６の端部を形成する部位である。
下板部１０８は、その中央に配線１３，１４の一部を挿通可能な挿通孔１０９を有している。挿通孔１０９は、下板部１０８を部材厚方向に貫通した貫通孔である。
【００９９】
補強部１１６は、固定部１１５の剛性を補強する部位であり、具体的には、リブである。
補強部１１６は、固定部１１５の一部から外側に向けて立ち上がった板状の部位である。具体的には、後方板部１０３から後方板部１０３に対して直交方向に立設されており、固定部１１５の長手方向（上下方向Ｙ）に延びている。
補強部１１６は、後方板部１０３を挟んで接続板部１０５と対向する位置に設けられている。
【０１００】
遮蔽部材１１８は、光の透過を遮る部材であり、固定柱１０１の前方板部１０２を覆うことで、使用者や通行人に固定柱１０１を見えにくくする部材である。
遮蔽部材１１８は、図１３に示されるように散乱シート１２１と、１又は複数の化粧板１２２から形成されている。
散乱シート１２１は、光を散乱する部材であり、固定柱１０１に向かう光を散乱又は反射する部材である。
化粧板１２２は、第１化粧部材３０，３１との間でデザインの統一性を調整する部材である。
【０１０１】
散乱シート１２１は、前方板部１０２の大部分を覆っており、その上を化粧板１２２が設置されている。
ここでいう「大部分」とは、基準の８０パーセント以上の範囲を表す。
本実施形態では、散乱シート１２１は、図１３から読み取れるように、前方板部１０２の前方面の全面を覆っており、化粧板１２２が散乱シート１２１の前方面の全面を覆っている。
【０１０２】
続いて、第２実施形態の壁面構造１２０の組み立て手順とともに、各部材の位置関係について説明する。
【０１０３】
まず、図１８のように、複数の固定柱１０１を床面に対して直立するように設ける（固定柱設置工程）。
【０１０４】
このとき、各固定柱１０１は、図１８に示されるように、横方向Ｘ（左右方向）において、同一直線上に一定の間隔を空けて配されている。そして、隣接する一の固定柱１０１の空間１０６と、他の固定柱１０１の空間１０７は並設方向（横方向Ｘ）に対向している。
【０１０５】
また別途工程によって、太陽電池パネル２を第１透光性基板３及び第２透光性基板５で挟みこみ、この状態でフレーム部材８を取り付け、化粧部材３０，３１，３２，３３，１３０，１３１を敷き詰めて太陽電池モジュール１００を形成する（太陽電池モジュール形成工程）。
【０１０６】
次に、上記の固定柱設置工程及び太陽電池モジュール形成工程が終了後、第１太陽電池モジュール取付工程を行う。
すなわち、図１９のように、太陽電池モジュール１００の固定領域１１２，１１３を固定柱１０１，１０１の空間１０７，１０６に挿入して移動させる。
具体的には、太陽電池モジュール１００ａのフレーム部材８の片側を固定柱１０１の空間１０６に挿入し、太陽電池モジュール１００ａのフレーム部材８の反対側を固定柱１０１の空間１０７に挿入する。そしてその状態で太陽電池モジュール１００を空間１０６，１０７に沿って下方向にスライド移動させる。
【０１０７】
その後、太陽電池モジュール１００ａを固定柱１０１に沿わして下方向にスライドさせて、下板部１０８から所定の高さ（本実施形態では、５０ｍｍ程度の高さ）の位置で、太陽電池モジュール１００ａの移動を止める。そして、図２０のように太陽電池モジュール１００ａの正極配線１３の一部を下板部１０８の挿通孔１０９に挿通させる。
【０１０８】
その後、太陽電池モジュール１００ａを、再度太陽電池モジュール１００ａの下端面が下板部１０８に接触又は近接するまでスライド移動させる。
本実施形態では、太陽電池モジュール１００ａの下端面と下板部１０８の間隔が２ｃｍ以下となるように近接又は接触するまでスライド移動させる。
このときフレーム部材８の下面形成部４８の挿通孔４６は、直接又は空間を挟んで下板部１０８の挿通孔１０９と連通しており、一つの連通孔を形成している。そして、当該連通孔内に正極配線１３が挿通されている。
【０１０９】
そして、この太陽電池モジュール１００ａの下端面が下板部１０８上に載置された状態で、図２１のように、固定柱１０１の後方板部１０３に対して太陽電池モジュール１００ａを公知の締結要素によって固定する。
【０１１０】
第１太陽電池モジュール取付工程が終了し、一段目の太陽電池モジュール１００ａが固定されると、二段目の太陽電池モジュール１００ｂを固定柱１０１，１０１に取り付ける。
すなわち、第２太陽電池モジュール取付工程を実施する。
具体的には、図２２に示されるように太陽電池モジュール１００ｂのフレーム部材８の片側を固定柱１０１の空間１０６に挿入し、太陽電池モジュール１００ｂのフレーム部材８の反対側を固定柱１０１の空間１０７に挿入する。そして、その状態で太陽電池モジュール１００ｂを空間１０６，１０７に沿って下方向にスライド移動させる。
【０１１１】
その後、図２３のように、下段の太陽電池モジュール１００ａの上端面（上面形成部４７）から所定の高さ（本実施形態では、１００ｍｍ程度の高さ）の位置で、太陽電池モジュール１００ｂの移動を止める。そして、下段の太陽電池モジュール１００ａの負極配線１４を上段の太陽電池モジュール１００ｂの正極配線１３と接続し、下段の太陽電池モジュール１００ａのフレーム部材８の上面形成部の挿通孔４５に下段の負極配線１４及び上段の正極配線１３を押し込んで挿入する。
【０１１２】
そして、２段目の太陽電池モジュール１００ｂを徐々に下ろしていき、１段目の太陽電池モジュール１００ａの上端部（上面形成部４７）に２段目の太陽電池モジュール１００ｂの下端部（下面形成部４８）を近接又は接触させる。
本実施形態では、太陽電池モジュール１００ａのフレーム部材８の上面形成部４７と太陽電池モジュール１００ｂのフレーム部材８の下面形成部４８の間隔が２ｃｍ以下となるように近接又は接触させる。
【０１１３】
このとき、上面形成部４７の挿通孔４５と、下面形成部４８の挿通孔４６は、直接又は空間を挟んで連通しており、一つの連通孔を形成している。そして、当該連通孔に正極配線１３の一部が挿通されている。
【０１１４】
そして、下段の太陽電池モジュール１００ａ上に上段の太陽電池モジュール１００ｂが載置された状態で、図２４に示されるように、固定柱１０１の後方板部１０３に対して上段の太陽電池モジュール１００ｂを公知の締結要素によって固定する。
【０１１５】
その後、上記した第２太陽電池モジュール取付工程を繰り返して、各段の太陽電池モジュール１００を形成していき、太陽電池モジュール１００の設置が終わると、図２５に示されるように、固定柱１０１の前方板部１０２上に散乱シート１２１及び化粧板１２２を取り付けて壁面構造１２０が完成する。
【０１１６】
第２実施形態の壁面構造１２０によれば、上下方向においてフレーム部材８上に重畳化粧部材１３０，１３１が形成されるため、上下方向の太陽電池モジュール間の継ぎ目が目立ちにくく、意匠性の高い壁面構造となる。
【０１１７】
また、第２実施形態の壁面構造１２０によれば、遮蔽部材１１８によって固定柱１０１が隠されているため、固定柱１０１が目立ちにくく、統一感のあり、意匠性の高い壁面構造となる。
【０１１８】
上記した実施形態では、あらかじめ組み立てた状態の太陽電池モジュール１００を固定柱に固定して壁面構造１２０を形成したが、本発明はこれに限定されるものではなく、固定柱１０１に固定する際に化粧部材を取り付けて壁面構造を形成してもよい。
この場合を第３実施形態として説明する。
【０１１９】
第３実施形態の壁面構造１５０は、図２６に示されるように第１実施形態の太陽電池モジュール１を複数枚用いて壁面を形成し、縦方向Ｙ（上下方向）に隣接する太陽電池モジュール１，１のフレーム部材８，８の重なり部分を重畳化粧部材１５１で覆うものである。
重畳化粧部材１５１は、フレーム部材８，８を挟んで上下方向に隣接する化粧部材間でデザインの統一性を調整する部材である。
重畳化粧部材１５１は、透光性を有した長板状の部材である。
【０１２０】
続いて、第３実施形態の壁面構造１５０の組み立て手順について説明する。なお、第２実施形態と同様の工程については、簡単に説明する。
【０１２１】
まず、第２実施形態と同様、固定柱設置工程を行い、複数の固定柱１０１を床面に取り付ける。また別途工程によって、太陽電池パネル２を第１透光性基板３及び第２透光性基板５で挟みこみ、この状態でフレーム部材８を取り付ける。そして、露出領域５５，５６に化粧部材３０〜３３を貼り付けて太陽電池モジュール１を形成する。すなわち、フレーム部材８上に化粧部材３０〜３３が形成されていない第１実施形態の太陽電池モジュール１を形成する（太陽電池モジュール形成工程）。
【０１２２】
そして、第１太陽電池モジュール取付工程を行う。すなわち、図２７に示されるように、固定柱１０１，１０１の空間１０６，１０７に太陽電池モジュール１ａの一部を挿入し、締結要素によって太陽電池モジュール１ａを固定柱１０１に固定する。
【０１２３】
第１太陽電池モジュール取付工程の終了後、第２太陽電池モジュール取付工程を行い、図２８に示されるように、固定柱１０１，１０１の空間１０６，１０７に新たな太陽電池モジュール１ｂの一部を挿入し、下段の太陽電池モジュール１ａの上面形成部４７に上段の太陽電池モジュール１ｂの下面形成部４８を２ｃｍ以下の間隔になるように近接又は接触させる。
【０１２４】
そして、図２９，図３０から読み取れるように、上下に隣接するフレーム部材８，８の前面覆部４０，４０上に重畳化粧部材１５１を取り付ける。
このとき、図３０に示されるように、重畳化粧部材１５１を上下に隣接する太陽電池モジュール１ａ，１ｂのフレーム部材８，８の境界部位に跨って重畳化粧部材１５１が設けられている。
具体的には、下段の太陽電池モジュール１ａのフレーム部材８の上側覆部６０の前面覆部４０ａと、上段の太陽電池モジュール１ｂのフレーム部材８の下側覆部６１の前面覆部４０ｂとに跨って、重畳化粧部材１５１が敷設されている。すなわち、フレーム部材８，８の境界部位は重畳化粧部材１５１によって覆われて、隠されている。
【０１２５】
また裏面では、下段の太陽電池モジュール１ａのフレーム部材８の上側覆部６０の後面覆部４２ａと、上段の太陽電池モジュール１ｂのフレーム部材８の下側覆部６１の後面覆部４２ｂとに跨って重畳化粧部材１５１が敷設されている。すなわち、フレーム部材８，８の境界部位は重畳化粧部材１５１によって覆われて、隠されている。
【０１２６】
その後、第２太陽電池モジュール取付工程を繰り返して、各段の太陽電池モジュール１を取り付けて、重畳化粧部材１５１を貼り付けていき、各段の太陽電池モジュール１の設置が終わると、固定柱１０１の前方板部１０２上に遮蔽部材１１８の散乱シート１２１及び化粧板１２２を取り付けて壁面構造１５０が完成する。
【０１２７】
第３実施形態の壁面構造１５０によれば、重畳化粧部材１５１が上下方向に隣接するフレーム部材８，８の境界部分を覆うため、フレーム部材８，８の境界が見えにくく、意匠性が優れる壁面構造となる。
【０１２８】
上記した第３実施形態では、遮蔽部材１１８を設けることで固定柱１０１を目立たなくしたが、本発明はこれに限定されるものではなく、化粧部材によって固定柱１０１を隠してもよい。
【０１２９】
この場合について、第４実施形態として説明する。
第４実施形態の壁面構造２００では、第２実施形態の壁面構造１２０と、太陽電池モジュール１００の左右方向の端部に位置する化粧部材の形状が異なる。
具体的には第４実施形態の壁面構造は、固定柱１０１を挟んで隣接した化粧部材である遮蔽化粧部材２０１，２０２が他の化粧部材と形状が異なる。
遮蔽化粧部材２０１は、図３１，図３２から読み取れるように、断面形状が略「Ｌ」字状をしており、本体部２０５と、本体部２０５の一部から張り出した張出部２０６を有している。
本体部２０５は、透光性基板に取り付け可能な部位であって、化粧部材３０，３１と同様、長方形状の板状の部位である。
張出部２０６は、固定柱１０１の一部を遮蔽する部位であって、設置姿勢において、本体部２０５の外側端部から右方に向けて張り出した板状の部位である。
具体的には、張出部２０６は、本体部２０５の前方側端部から張り出しており、設置姿勢において、張出部２０６の外側面は、本体部２０５の外側面と同一平面を形成し、面一となっている。
すなわち、遮蔽化粧部材２０１は、張出部２０６の内側面と本体部２０５の内側面で段部を形成している。
【０１３０】
遮蔽化粧部材２０２は、図３１，図３２から読み取れるように、遮蔽化粧部材２０１と左右対称の関係となる部材であり、断面形状が略「Ｌ」字状をしており、本体部２０７と、本体部２０７の一部から張り出した張出部２０８を有している。
本体部２０７は、透光性基板に取り付け可能な部位であって、化粧部材３０，３１と同様、長方形状の板状の部位である。
張出部２０８は、固定柱１０１の一部を遮蔽する部位であって、設置姿勢において、本体部２０７の外側端部から左方に向けて張り出した板状の部位である。
具体的には、張出部２０８は、本体部２０７の前方側端部から張り出しており、設置姿勢において、張出部２０８の外側面は、本体部２０７の外側面と同一平面を形成し、面一となっている。
すなわち、遮蔽化粧部材２０２は、張出部２０８の内側面と本体部２０７の内側面で段部を形成している。
【０１３１】
続いて、第４実施形態の壁面構造の各部位の位置関係について説明する。
【０１３２】
固定柱１０１を挟んで左右方向Ｘに隣接する太陽電池モジュール１，１に注目すると、左右方向において、遮蔽化粧部材２０１の張出部２０６と、遮蔽化粧部材２０２の張出部２０８は互いに近接する方向に延びている。
固定柱１０１は、固定柱１０１を挟んで隣接する遮蔽化粧部材２０２，２０１の張出部２０８，２０６によって覆われている。すなわち、背面側からみると、固定柱１０１の前方板部１０２の前後方向Ｚへの投影面は、隣接する遮蔽化粧部材２０１，２０２の張出部２０６，２０８に跨っている。
【０１３３】
第４実施形態の壁面構造２００によれば、固定柱１０１を挟んで隣接する遮蔽化粧部材２０１，２０２によって、固定柱１０１が隠されているため、形成する壁面に一体性を持たせることができ、意匠性の高い壁面構造となる。
【０１３４】
上記した第１実施形態では、断面形状が四角形状の化粧板を使用していたが、本発明はこれに限定されるものではなく、前方側の面に斜面を有する化粧板であってもよい。すなわち、図３３に示される化粧板２２０のように斜面が外側を向いた断面形状が五角形状の化粧板であってもよい。
こうすることによって、固定柱１０１に光が伝わりにくく、使用者等に固定柱１０１を見えにくくすることができる。
【０１３５】
上記した第４実施形態では、固定柱１０１を挟んで隣接する遮蔽化粧部材２０１，２０２の張出部２０６，２０８の張出方向の先端部同士を突き合わせもしくは所定の間隔を空けて対向していたが、先端部同士を係合させてもよい。
例えば、図３４のように、固定柱１０１を挟んで隣接する遮蔽化粧部材２３０，２３１のうち、一の遮蔽化粧部材２３０に凸部２３２を設け、他の遮蔽化粧部材２３１に切り欠き部２３３（又は凹部）を設けて係合させてもよい。
【０１３６】
上記した実施形態では、透光性基板上に化粧部材を面状に敷き詰めていたが、本発明はこれに限定されるものではなく、図３５に示されるように透光性基板２４０上に化粧部材２４１を面状に点在させていてもよい。この場合、化粧部材２４１の種類は、必ずしも２種類以上である必要はなく、１種類であってもよい。
【０１３７】
上記した実施形態では、化粧部材３０，３２の表面に凹凸加工を施してヘイズを変化させていたが、本発明はこれに限定されるものではなく、他の方法によって、ヘイズを制御してもよい。例えば、化粧部材３０，３２を中空体にしてヘイズを変化させてもよい。
【０１３８】
上記した実施形態では、化粧部材の外側面に表面凹凸を形成したが、本発明はこれに限定されるものではなく、化粧部材の側面にも表面凹凸を形成してもよい。
こうすることによって、化粧部材の輪郭をよりはっきりさせることができる。
また、例えば、図３６のように表面凹凸の形成部位やその有無が異なる多種類の化粧部材２４５によって装飾部材を形成してもよい。
【０１３９】
上記した実施形態では、第１透光性基板３及び第２透光性基板５を太陽電池パネル２に近接させるためにフレーム部材８を設けたが、本発明はこれに限定されるものではなく、フレーム部材８を設けなくてもよい。
例えば、固定柱１０１によって第１透光性基板３及び第２透光性基板５を太陽電池パネル２に近接させてもよい。
【０１４０】
上記した実施形態では、光電変換素子１１を支持する基板として、第１透光性基板３とは別体の支持基板１０を使用したが、本発明はこれに限定されるものではなく、支持基板１０を設けずに第１透光性基板３に直接光電変換素子１１を積層してもよい。
【０１４１】
上記した実施形態では、光電変換素子１１を封止する部材として、第２透光性基板５とは別体の封止部材１２を使用したが、本発明はこれに限定されるものではなく、封止部材１２を設けずに、第２透光性基板５によって光電変換素子１１を封止してもよい。
【０１４２】
上記した実施形態では、装飾部材６，７では、化粧部材３１，３３に凹凸加工を施した化粧部材３０，３２を混在させることによって装飾性を高めたが、本発明はこれに限定されるものではなく、さらに模様や絵、文字等の装飾を施した化粧部材を混在させてもよい。
【０１４３】
上記した実施形態では、太陽電池パネル２として、厚み方向に光を透過するシースルー型の太陽電池パネルを使用したが、本発明はこれに限定されるものではなく、厚み方向に光を透過しない公知の太陽電池パネルであってもよい。
【０１４４】
上記した実施形態では、第１透光性基板３上に２種類の第１化粧部材３０，３１が交互になるように規則的に並べていたが、本発明はこれに限定されるものではなく、化粧部材の種類数及び化粧部材の配列は特に限定されない。すなわち、図３７に示されるように、３種類以上の第１化粧部材９０が第１透光性基板３上に不規則に並んでいてもよい。
同様に、上記した実施形態では、第２透光性基板５上に２種類の第２化粧部材３２，３３が交互になるように規則的に並べていたが、本発明はこれに限定されるものではなく、化粧部材の種類数及び化粧部材の配列は特に限定されない。すなわち、３種類以上の第２化粧部材が第２透光性基板５上に不規則に並んでいてもよい。
【０１４５】
上記した実施形態では、平面視したときに第１化粧部材３０，３１及び第２化粧部材３２，３３の形状は、四角形状であったが、本発明はこれに限定されるものではなく、化粧部材は、図３８（ａ）の化粧部材９５のように三角形状であってもよいし、図３８（ｂ）の化粧部材９６のように六角形状であってもよい。
また、上記した実施形態では、四角形状の化粧部材が露出領域内を充填していたが、本発明はこれに限定されるものではなく、他の形状の化粧部材が充填されていてもよい。
【０１４６】
上記した実施形態では、太陽電池パネル２として薄膜太陽電池を実装した太陽電池パネルを使用したが、本発明はこれに限定されるものではなく、太陽電池パネル２は、結晶系シリコン太陽電池を実装した結晶系太陽電池パネルであってもよい。また、太陽電池パネル２は、ＣＩＳ系やＧａＡｓ系、ＣｄＴｅ系などの化合物半導体系太陽電池を実装した化合物半導体系太陽電池パネルであってもよい。太陽電池パネル２は、色素増感太陽電池や有機薄膜太陽電池などの有機系太陽電池を実装した有機系太陽電池パネルであってもよい。
【符号の説明】
【０１４７】
１，１００  太陽電池モジュール
３  第１透光性基板（第１基板）
５  第２透光性基板（第２基板）
８  フレーム部材
１０  支持基板
１１  光電変換素子
２０，２１  切り欠き部
３０，３１  第１化粧部材（化粧部材）
３２，３３  第２化粧部材
３５，３６  凹凸
８０，１２５  住宅
９０，９５，９６，２４１，２４５  化粧部材
１０１  固定柱（固定部材）
１１８  遮蔽部（遮蔽手段）
１２０，１５０，２００  壁面構造
１２２，２２０，
１３０，１３１，１５１，１５２  重畳化粧部材
２０１，２０２，２３０，２３１  遮蔽化粧部材
２４０  透光性基板
【図１】
0006483984.tif 000002
【図２】
0006483984.tif 000003
【図３】
0006483984.tif 000004
【図４】
0006483984.tif 000005
【図５】
0006483984.tif 000006
【図６】
0006483984.tif 000007
【図７】
0006483984.tif 000008
【図８】
0006483984.tif 000009
【図９】
0006483984.tif 000010
【図１０】
0006483984.tif 000011
【図１１】
0006483984.tif 000012
【図１２】
0006483984.tif 000013
【図１３】
0006483984.tif 000014
【図１４】
0006483984.tif 000015
【図１５】
0006483984.tif 000016
【図１６】
0006483984.tif 000017
【図１７】
0006483984.tif 000018
【図１８】
0006483984.tif 000019
【図１９】
0006483984.tif 000020
【図２０】
0006483984.tif 000021
【図２１】
0006483984.tif 000022
【図２２】
0006483984.tif 000023
【図２３】
0006483984.tif 000024
【図２４】
0006483984.tif 000025
【図２５】
0006483984.tif 000026
【図２６】
0006483984.tif 000027
【図２７】
0006483984.tif 000028
【図２８】
0006483984.tif 000029
【図２９】
0006483984.tif 000030
【図３０】
0006483984.tif 000031
【図３１】
0006483984.tif 000032
【図３２】
0006483984.tif 000033
【図３３】
0006483984.tif 000034
【図３４】
0006483984.tif 000035
【図３５】
0006483984.tif 000036
【図３６】
0006483984.tif 000037
【図３７】
0006483984.tif 000038
【図３８】
0006483984.tif 000039